(57)【要約】      （修正有）【課題】対象物体上の表面水分による変動を低減することができる水分含量測定デバイスおよび方法を提供する。【解決手段】単一の導電性フィーチャ（例えば、プレート）と、対象物体１０２の静電容量から水分含量値を生成することができる要素とを含む。デバイスはフリンジ場静電容量から信号を生成することができる。デバイスは信号の特性（例えば、周波数）を用い、水分含量値をエンコードする出力を生成することができる。出力、および／または出力がエンコードする情報は、１つまたは複数の事前に格納され、かつ／またはあらかじめ決められた水分含量値に周波数を相関させるルックアップテーブルまたはその他のリポジトリ内において見いだされてよい。【選択図】図１
2014085353.tif 000002
【特許請求の範囲】
【請求項１】
対象内の水分含量測定デバイスであって、前記デバイスは、
導電材料を含む測定要素と、
前記測定要素と結合される変換器要素と、
前記変換器要素と結合される処理要素と、
を含み、
前記処理要素は、前記対象と前記測定要素との間の接触の結果生じる測定静電容量に関連する周波数値をエンコードする信号を前記変換器要素から受信し、前記周波数に対応する水分含量値を選択し、前記水分含量値をエンコードする出力を生成するように構成される、
対象内の水分含量測定デバイス。
【請求項２】
前記変換器要素が、前記処理要素と結合するタイマ回路を含み、前記タイマ回路が、前記測定静電容量に応答して前記周波数値を生成する、請求項１記載のデバイス。
【請求項３】
前記タイマ回路が５５５タイマ回路を含む、請求項２記載のデバイス。
【請求項４】
前記タイマ回路がシュミットタイマ回路を含む、請求項２記載のデバイス。
【請求項５】
前記タイマ回路がＲＣ回路を含む、請求項２記載のデバイス。
【請求項６】
前記処理要素と結合されるディスプレイをさらに含み、前記処理要素が前記出力を前記ディスプレイ上に表示するように構成される、請求項１記載のデバイス。
【請求項７】
前記出力が、前記ディスプレイ上に表示される前記水分含量値についての数値を含む、請求項６記載のデバイス。
【請求項８】
前記出力が、前記ディスプレイ上に表示される前記水分含量値についてのグラフィック表示を含む、請求項６記載のデバイス。
【請求項９】
前記メモリ上に格納されるルックアップテーブルをさらに含み、前記処理要素が、前記水分含量値を選択するべく前記ルックアップテーブルにアクセスするように構成される、請求項１記載のデバイス。
【請求項１０】
前記ルックアップテーブルが、水分含量値と、前記対象の前記水分含量についての相対スケールを定義する水分含量値とを関連付ける、請求項９記載のデバイス。
【請求項１１】
前記測定要素が、表面を有するプレートを含み、前記プレートが平行板コンデンサの一部を形成し、前記平行板コンデンサは、前記平行板コンデンサの第１の導電プレートとしての前記プレート、前記対象、および前記第１の導電プレートとともに前記対象の境界を形成する前記平行板コンデンサの第２の導電プレートの仮想的発現を含む、請求項１記載のデバイス。
【請求項１２】
前記測定静電容量が前記平行板コンデンサのフリンジ場を利用する、請求項１１記載のデバイス。
【請求項１３】
１つまたは複数の前記測定要素、前記変換器要素、前記測定要素、前記処理要素、およびメモリを密閉するハウジングをさらに含む、請求項１記載のデバイス。
【請求項１４】
対象の水分含量測定デバイスの作動方法であって、前記方法は、
前記対象全体にわたるフリンジ場測定値をエンコードする第１の信号を受信することと、
前記第１の信号に応答して第２の信号を生成することであって、前記第２の信号は、前記フリンジ場測定値に関連する周波数値をエンコードする、第２の信号を生成することと、
前記周波数値に対応する水分含量値を選択することと、
前記水分含量値をエンコードする出力を生成することと、
を含む、対象の水分含量測定デバイスの作動方法。
【請求項１５】
前記水分含量値を選択するべくルックアップテーブルにアクセスすることをさらに含み、前記ルックアップテーブルは、水分含量値を周波数値に関連付ける１つまたは複数の項目を含む、請求項１４記載の方法。
【請求項１６】
較正信号を受信することと、
前記１つまたは複数の較正信号を水分含量値に一致させることと、
をさらに含み、
前記較正信号の前記周波数値は前記対象についての既知の水分含量値に対応する、
請求項１４記載の方法。
【請求項１７】
前記較正信号が、前記既知の水分含量に応じた前記周波数値を前記デバイスに生成させる材料スライドの厚みに対応する、請求項１６記載の方法。
【請求項１８】
前記測定静電容量が、第１の導電プレート、第２の導電プレート、およびそれらの間の前記対象を含む平行板コンデンサのフリンジ場を利用し、前記第１の導電プレートは物理的発現を含み、前記第２の導電プレートは、前記フリンジ場を伝導することができる仮想的発現を含む、請求項１４記載の方法。
【発明の詳細な説明】
【技術分野】
【０００１】
本明細書において開示されている主題は、水分含量を測定するデバイスに関し、１つの実施形態においては、静電容量を対象の水分含量と相関させるデバイスに関する。
【背景技術】
【０００２】
材料、例えば、木材、コンクリート、タイル等の水分含量を測定するための多くのデバイスが知られている。これらのデバイスは、対象物体の表面と接触すると、信号（例えば、無線周波（ｒａｄｉｏ  ｆｒｅｑｕｅｎｃｙ、ＲＦ）信号）を導通することができるピンを用いてよい。他のデバイスは、対象物体の対向側面に位置付けられる導電プレートを用いてよい。この種のデバイスは対象物体の特性を測定し、測定された特性を水分含量に関係付けることができる。しかし、２枚のプレート構成の問題は、導電プレートと対象物体との間の水分（例えば、水滴）が水分含量測定値に誤差を生じさせ得ることである。この問題は、例えば、対象物体の表面の特定の試験領域上に水滴が存在するだけで、対象物体全体にわたる水分含量測定値に変動をもたらし得る。
【０００３】
以上の説明はあくまで一般的な背景情報のために示したものであって、クレームされている主題の範囲を決定する助けとして用いられるように意図されるものではない。
【先行技術文献】
【特許文献】
【０００４】
【特許文献１】米国特許第６，７０８，５５５号明細書
【発明の概要】
【０００５】
本開示は水分測定（および関連デバイス）の改善を記載する。例えば、以下のデバイスの実施形態は、多くの従来のデバイスに見いだされる２枚プレート構成を必要としない。むしろ、これらの実施形態は、単一の導電性フィーチャ（例えば、プレート）を、対象物体の静電容量を測定し、測定された静電容量から水分含量値を生成することができる要素と組み合わせて利用する。１つの実施形態では、デバイスは、測定静電容量から、特性（例えば、周波数）を表す信号を生成することができる。デバイスは、水分含量値をエンコードする出力を生成することもできる。出力は、１つの例では、事前に格納され、かつ／またはあらかじめ決められた水分含量値のルックアップテーブルまたはその他のリポジトリ内で見いだされる周波数値に対応する。
【０００６】
本開示は、１つの実施形態では、対象内の水分含量の測定デバイスを記載する。デバイスは、測定要素であって、導電材料、測定要素と結合される変換器要素、および変換器要素と結合される処理要素を含む、測定要素を含む。１つの例では、処理要素は、対象と測定要素との間の接触の結果生じる測定静電容量に関連する周波数値をエンコードする信号を変換器要素から受信し、周波数に対応する水分含量値を選択し、水分含量値をエンコードする出力を生成するように構成される。
【０００７】
本開示は、１つの実施形態では、対象の水分含量測定デバイスの作動方法も記載する。本方法は、対象全体にわたる測定静電容量をエンコードする第１の信号を受信するステップと、第１の信号に応答して第２の信号を生成するステップとを含む。第２の信号は、測定静電容量に関連する周波数値をエンコードする。本方法は、周波数値に対応する水分含量値を選択するステップと、水分含量値をエンコードする出力を生成するステップも含む。
【０００８】
この発明の概要は、１つまたは複数の例示的な実施形態に従って本明細書において開示されている主題の概要を提供することを意図されているのみであり、クレームの解釈、あるいは本発明の範囲の定義または限定の手引きの役割を果たすものではない。本発明の範囲は添付のクレームによってのみ定義される。この概要は、以下において詳細な説明にさらに記載されているコンセプトの例示的な選択物を、単純化した形で紹介するために提供される。この概要は、クレームされている主題の主要な特徴または基本的特徴を特定することを意図されているのでもないし、クレームされている主題の範囲の決定の助けとして用いられることを意図されているのでもない。クレームされている主題は、背景技術において言及している不利点のいずれかまたはすべてを解決する実装に限定されない。
【０００９】
本発明の特徴を理解することができるように、特定の実施形態を参照することにより本発明の詳細な説明が行われてよい。そのうちのいくつかを添付の図面に示している。ただし、本発明の範囲は他の同等に有効な実施形態を包含するため、図面はあくまで本発明の特定の実施形態を示すのみであり、したがって、その範囲の限定と見なされてはならないことに留意されたい。図面は必ずしも原寸に比例しておらず、一般に、本発明の特定の実施形態の特徴を示すことに重点が置かれている。図面において、種々の図全体にわたり、同様の符号は同様の部分を示すために用いられている。このように、本発明のさらなる理解のために、以下の詳細な説明を、図面に関連付けて読みつつ、参照することができる。
【図面の簡単な説明】
【００１０】
【図１】対象の水分含量測定デバイスの例示的な実施形態の斜視図である。
【図２】図１のデバイスの底面図である。
【図３】図１のデバイスの模式図である。
【図４】対象内の水分含量測定方法の例示的な実施形態のフロー図である。
【図５】対象の水分含量測定デバイスを較正するための較正装置の例を示す図である。
【発明を実施するための形態】
【００１１】
概して、以下のデバイスの実施形態は対象物体の静電容量を水分含量値に変換することができる。これらの実施形態は、対象物体全体にわたる測定静電容量を反映する１つまたは複数の第１の信号を生成するために、フリンジ場効果、または漏れ静電容量を利用する。これらの信号をさらに処理することにより、測定静電容量に関連する選択周波数値を表す１つまたは複数の第２の信号を生成することができる。１つの実施形態では、以下のデバイスは、水分含量値群および関連選択周波数値群を有する事前に格納されているテーブルから水分含量値を選択する、および／またはあてがうことができる。
【００１２】
図１は、対象１０２、例えば、木材、コンクリート、タイル等、の水分含量を測定することができる計測器１００の例示的な実施形態を示す。計測器１００は、携帯用デバイスの形態のハウジング１０４を有する。ただし、ハウジング１０４は所望に応じて様々なフォームファクタをとることができる。計測器１００は、ディスプレイ１０６、ならびに計測器１００へのおよびそこからの入力および出力の受信および伝達に有用である１つまたは複数の作動可能要素（例えば、第１のボタン１０８および第２のボタン１１０）も有する。
【００１３】
図１の計測器１００の底面図を示す図２に最もよく示されるように、計測器１００は、対象１０２（図１）の水分含量測定を容易にする測定要素１１２を含む。測定要素１１２は、ハウジング１０４および／またはその他の計測器１００の構造に固定したプレート１１４を包含する。上述したように、および以下の説明において、プレート１１４は平行板コンデンサの一部として動作する。しかし、２枚のプレートが平行板コンデンサを形成するのを特徴とする従来のデバイスと異なり、計測器１００は１枚のプレート（例えば、プレート１１４）を必要とするのみである。この単一プレートの機構は計測器１００の構築を簡単にする。さらに、単一プレート構成は干渉、例えば、対象１０２の表面上の水分からの干渉、を受けにくいため、計測器１００は、水分含量のより正確で均一な読取値を提供することができる。
【００１４】
１つの実施形態では、プレート１１４はハウジング内および／またはそれに対して固定され、表面１１６を露出させている。測定実施の際、計測器１００が水分含量データ収集位置に配されると、表面１１６は対象１０２（図１）の外面に接触する。続いて、計測器１００が接触位置に配されている状態で、例えば、第１のボタン１０８および／または第２のボタン１１０を作動させると、計測器１００は、対象１０２（図１）の水分含量に関連するデータを取得する。
【００１５】
図３は、提案デバイスの例示的な部品および要素に焦点を当てるべく、計測器１００の模式図を示す。図３の例では、プレート１１４は、ディスプレイ１１０への出力を生成することができる処理要素１１８と結合している。出力の例は、エンドユーザが対象１０２の水分含量を知ることができる情報を伝達する。１つの実施形態では、処理要素１１８は変換器要素１２０および制御要素１２２を含む。制御要素１２２の例はマイクロプロセッサおよび関連計算デバイスを含むことができる。所望に応じて、データおよび実行命令を格納するためにメモリが必要とされてもよい。計算デバイスは、計測器１００の動作を命令する、例えば、対象１０２（図１）の水分含量を取得して表示するように命令する、実行命令のうちの１つまたは複数を実行することができる。計測器１００の部品を作動させるために、電源１２４が電気信号（例えば、電流、電圧、等）を提供する。
【００１６】
図４は、図１、２、および３の計測器１００上の水分含量測定方法２００のフロー図を示す。方法２００は、ステップ２０２において、静電容量測定値をエンコードする第１の信号を受信することと、ステップ２０４において、選択周波数値を表す第１の信号から第２の信号を生成することを含む。方法２００は、ステップ２０６において、選択周波数値に対応する水分含量値を選択することと、ステップ２０８において、水分含量値をエンコードする出力を生成することも含む。
【００１７】
（例えば、ステップ２０２において）第１の信号を生成するステップは、計測器１００を使って対象１０２全体にわたる静電容量を測定することによって行われる。静電容量は対象１０２の誘電率の変化を反映し、誘電率もまた対象１０２内の水分含量の増減に従って変動する。１つの実施形態では、計測器１００は、第１の導電プレート、第２の導電プレート、およびそれらの間に配される誘電体を含む平行板コンデンサ（上述）の一部を形成することによって静電容量を測定する。図３に示されているように、プレート１１４および対象１０２は、それぞれ、第１の導電プレートおよび誘電体の役割を果たす。しかし、提案計測器１００の実装は第２の導電プレートの物理的発現を必要としない。その代わり、第２の導電プレートは、例えば、測定の間、計測器１００を取り扱うエンドユーザの手を介して、仮想的に生じる。この第２のまたは「仮想」導電プレートが、対象１０２を貫通する平行板コンデンサのフリンジ場および／または漏れ静電容量のための帰還経路を形成する。
【００１８】
第２の信号を生成するために（例えば、ステップ２０４において）、変換器要素１２０は、選択周波数値を含む特定の信号パラメータを第２の信号に表させることができる回路および／または一群の個別電気素子を含むことができる。この回路／素子の例としては、タイマ回路（例えば、５５５タイマ、シュミットトリガ、ＲＣ回路、等）が挙げられる。これらのタイマ回路は第１の信号を受信することができ、１つの例では、第１の信号を用いておよび／またはそれに応答して、選択周波数値を第２の信号にあてがう。選択周波数値の使用は、水分含量の正確な読み取りをしばしば乱して妨げ得るノイズおよびその他の離散的な干渉の問題に対処する。
【００１９】
（例えば、ステップ２０６において）水分値を選択するステップは、１つの例では、選択周波数値を水分含量値に相関させることができる。１つの例では、制御要素１２２が、周波数出力を、例えば計測器１００のメモリおよび／またはリポジトリ内に事前に格納され、かつ／またはそこで入手可能である水分値と相関させる。事前格納水分含量値は、選択周波数値ならびに、１つの例では、１つまたは複数の対応水分含量値を含むルックアップテーブルおよび／またはスケール内にあってよい。
【００２０】
以下の表１に、ルックアップテーブルの例が見られる。
【００２１】
【表１】
2014085353.tif 000003
水分含量値についての値は水分含量そのものを反映するか、または、上述の例におけるように、所望に応じて、水分含量のための相対スケールを定義することができる。相対スケールを用いれば、より理解しやすい情報、例えば、１００〜９９９の水分含量値については「乾燥」、１０００〜１９９９の水分含量値については「湿気あり」、および２０００以上の水分含量値については「湿潤」、をエンドユーザに提供することができる。１つの例では、相対スケールは、メモリ上に格納されている多数の既定値を含む。
【００２２】
（例えば、ステップ２０８において）出力を生成するステップは、水分含量値に関連する数値をディスプレイ１０６上に表示することができる。このフィーチャは実際の数（例えば、５００、１０００、１５００、２０００）を示してよい。このフィーチャは、エンドユーザに対象１０２の水分含量を伝達することができる何らかの他のインジケータを用いてもよい。上述したように、例えば、ディスプレイ１０６は、相対スケール（例えば、乾燥、湿気あり、湿潤）、カラーグラデーション、および／またはエンドユーザが対象１０２の水分含量を知ることができるその他のグラフィック表示を示してよい。
【００２３】
１つの実施形態では、方法２００は、１つまたは複数の較正信号を受信するステップと、１つまたは複数の較正信号を水分含量値に一致させるステップを含んでもよい。これらのステップは計測器１００を較正し、それによって、計測器１００は水分含量のより正確な測定を提供することが可能となってよい。図５は、これらの較正ステップの遂行に有用である較正装置３００の例を示す。較正装置３００は、複数の材料スライド（例えば、第１の材料スライド３０２、第２の材料スライド３０４、および第３の材料スライド３０６）を含む。材料スライド３０２、３０４、３０６の例は、液体に対して不透過性である（例えば、材料スライド３０２、３０４、３０６が水分を吸収するのを妨げる特性を有する）材料を含むことができる。１つの例では、材料スライド３０２、３０４、３０６は銅を含む。さらに、材料スライド３０２、３０４、３０６は、異なる厚み（例えば、第１の厚み３０８、第２の厚み３１０、および第３の厚み３１２）のものであってよい。
【００２４】
較正ステップの実施は、測定要素１１２を材料スライド３０２、３０４、３０６のうちの１つと接触するように配置するために、計測器１００（図１、２、および３）の位置決めを必要としてよい。所定位置に配されると、計測器１００は動作してデータを取得し、次に、較正信号を生成する。計測器１００は較正信号から第２の信号を生成する。ここで、第２の信号の選択周波数値は、選択された材料スライド３０２、３０４、３０６全体にわたる静電容量に対応する。次に、計測器１００は、例えば、上述したように、第２の信号の選択周波数値を水分含量値と一致させることができる。材料スライド３０２、３０４、３０６の構造および寸法は、ある特定の水分含量値に対応する静電容量を計測器１００に測定させる。例えば、これらの構造は、特定の水分含量値に関連付けることができる既知の誘電率値を呈する。例えば、材料スライド３０２は１６．５％の水分含量値に対応してよく、材料スライド３０４は２２％の水分含量値に対応してよく、材料スライド３０６は５５％の水分含量値に対応してよい。それ故、１つの実装では、計測器１００は、材料スライド３０２、３０４、３０６の各々についての周波数値を、例えば、ルックアップテーブル  表１内に事前に格納されている、対応する水分含量値（例えば、１６．５％、２２％、５５％）と一致させることができる。その後、計測器１００は、これらの較正結果に従ってすべての他の周波数値のスケールを変更することができる。
【００２５】
以上のことを考慮すると、提案計測器の実施形態は、測定静電容量を用いるが、平行板コンデンサにしばしば含まれる対向プレートを使う必要なく、水分含量を測定することができる。これらの計測器の実施形態に与えられる技術的効果は、計測器の構築および実装の簡単化と、例えば、被検対象の表面上に水分が存在すると蔓延する恐れがある干渉およびノイズの問題の回避である。１つの実施形態では、本発明は、対象内の水分含量測定デバイスであって、該デバイスは、導電材料を含む測定要素と、該測定要素と結合される変換器要素と、該変換器要素と結合される処理要素と、メモリと、該メモリ上に格納され、処理要素によって実行されるように構成される実行命令と、を含む、対象内の水分含量測定デバイスを具体化してよい。実行命令は、対象と測定要素との間の接触の結果生じる測定静電容量に関連する周波数値をエンコードする信号を変換器要素から受信するための命令を含む。実行命令は、周波数に対応する水分含量値を選択し、該水分含量値をエンコードする出力を生成するための命令も含む。
【００２６】
さらに、当業者によって理解されるように、本発明の態様はシステム、方法またはコンピュータプログラム製品として具体化されてよい。それ故、本発明の態様は、完全にハードウェアの実施形態、完全にソフトウェアの実施形態（ファームウェア、常駐ソフトウェア、マイクロコード等を含む）あるいはソフトウェアおよびハードウェアの態様を組み合わせた実施形態という形をとってよく、本願明細書においてそれらはすべて広く「回路」、「モジュール」または「システム」と呼ばれてよい。さらに、本発明の態様は、１つまたは複数のコンピュータ可読媒体（単数または複数）であって、その上に具体化されるコンピュータ可読プログラムコードを有する、コンピュータ可読媒体内に具体化されるコンピュータプログラム製品という形をとってもよい。
【００２７】
１つまたは複数のコンピュータ可読媒体（単数または複数）の任意の組み合わせが利用されてよい。コンピュータ可読媒体はコンピュータ可読信号媒体またはコンピュータ可読記憶媒体であってよい。コンピュータ可読記憶媒体の例としては、電子的、磁気的、電磁的、および／または半導体システム、装置またはデバイス、あるいは上述のものの任意の適当な組み合わせが挙げられる。コンピュータ可読記憶媒体のより具体的な例（非包括的なリスト）としては以下のもの：１本以上のワイヤを有する電気接続、ポータブルコンピュータディスケット、ハードディスク、ランダムアクセスメモリ（ｒａｎｄｏｍ  ａｃｃｅｓｓ  ｍｅｍｏｒｙ、ＲＡＭ）、リードオンリーメモリ（ｒｅａｄ−ｏｎｌｙ  ｍｅｍｏｒｙ、ＲＯＭ）、消去可能プログラマブル・リードオンリーメモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭまたはフラッシュメモリ）、光ファイバ、ポータブル・コンパクトディスク・リードオンリーメモリ（ｃｏｍｐａｃｔ  ｄｉｓｃ  ｒｅａｄ−ｏｎｌｙ  ｍｅｍｏｒｙ、ＣＤ−ＲＯＭ）、光学式記憶デバイス、磁気記憶デバイス、あるいは上述のものの任意の適当な組み合わせ、が挙げられよう。本文書の文脈において、コンピュータ可読記憶媒体とは、命令実行システム、装置またはデバイスによって用いられるまたはそれらと連係して用いられるプログラムを包含または記憶することができる任意の有形媒体であってよい。
【００２８】
コンピュータ可読信号媒体とは、例えば、基底帯域内にまたは搬送波の一部として、内部にコンピュータ可読プログラムコードが具体化される伝搬データ信号を含むものであってよい。このような伝搬信号は様々な形態のいずれをとってもよく、それらの任意の適当な組み合わせをとってもよい。コンピュータ可読信号媒体とは、コンピュータ可読記憶媒体ではない、命令実行システム、装置またはデバイスによって用いられるまたはそれらと連係して用いられるプログラムを伝達、伝搬または輸送することができる任意のコンピュータ可読媒体であってよい。
【００２９】
コンピュータ可読媒体上に具体化されるプログラムコードは、無線、有線、光ファイバケーブル、ＲＦ等、または上述のものの任意の適当な組み合わせを含むが、それらに限定されるものではなく、任意の適切な媒体を用いて送信されてよい。
【００３０】
本発明の態様のための作業を行うためのコンピュータプログラムコードは、オブジェクト指向プログラミング言語、および従来の手続き型プログラミング言語を含む、１つまたは複数のプログラミング言語の任意の組み合わせで書き込まれてよい。プログラムコードは、スタンドアロンソフトウェアパッケージとして完全にまたは一部分はユーザのコンピュータ上で実行するか、一部分はユーザのコンピュータ上で且つ一部分はリモートコンピュータ上で実行するか、または完全にリモートコンピュータもしくはサーバ上で実行してよい。後者のシナリオでは、リモートコンピュータは、ローカルエリアネットワーク（ｌｏｃａｌ  ａｒｅａ  ｎｅｔｗｏｒｋ、ＬＡＮ）またはワイドエリアネットワーク（ｗｉｄｅ  ａｒｅａ  ｎｅｔｗｏｒｋ、ＷＡＮ）を含む、任意の種類のネットワークを通じてユーザのコンピュータに接続されてもよいし、あるいは接続は、（例えば、インターネットサービスプロバイダを利用しインターネットを通じて）外部のコンピュータになされてもよい。さらに他の構成では、プログラムコードは、本明細書において説明され、企図されているデバイス（例えば、測定デバイス）の１つまたは複数の実施形態上で実行されてよい。
【００３１】
本発明の実施形態による方法、装置（システム）およびコンピュータプログラム製品のフローチャート図もしくはブロック図またはその両方を参照しながら本発明の態様が本明細書に記載されている。フローチャート図もしくはブロック図またはその両方の各ブロック、ならびにフローチャート図もしくはブロック図またはその両方におけるブロックの組み合わせは、コンピュータプログラム命令によって実装されることができることは理解されよう。これらのコンピュータプログラム命令は、汎用コンピュータ、専用コンピュータ、または他のプログラム可能なデータ処理装置のプロセッサに提供されて機械を作り出してもよく、それにより、命令は、コンピュータまたは他のプログラム可能なデータ処理装置のプロセッサを介して実行し、フローチャートもしくはブロック図またはその両方のブロックまたはブロック群において特定される機能群／動作群を実装する手段を生み出す。
【００３２】
さらにこれらのコンピュータプログラム命令は、コンピュータ、他のプログラム可能なデータ処理装置または他のデバイスを特定の様式で機能するように指令することができるコンピュータ可読媒体内に記憶されてもよく、それにより、コンピュータ可読媒体内に記憶された命令は、フローチャートもしくはブロック図またはその両方のブロックまたはブロック群において特定される機能／動作を実装する命令を含む製造品を作り出す。
【００３３】
コンピュータプログラム命令は、コンピュータ、他のプログラム可能なデータ処理装置または他のデバイス上にロードされ、一連の作業ステップをコンピュータ、他のプログラム可能な装置または他のデバイス上で遂行させ、コンピュータ実装プロセスを作り出してもよく、それにより、コンピュータまたは他のプログラム可能な装置上で実行する命令は、フローチャートもしくはブロック図またはその両方のブロックまたはブロック群において特定される機能群／動作群を実装するためのプロセス群を提供する。
【００３４】
本明細書において用いられる場合、単数形で言及され、単語「ａ」または「ａｎ」が前に付いている要素または機能は、複数の前記要素または機能を除外するものではないと理解されるべきである。ただし、そのような除外が明示的に言及されている場合を除く。さらに、クレームされている発明の「１つの実施形態」の言及は、言及されている特徴を同様に組み込む追加の実施形態の存在を除外するものと解釈されるべきではない。
【００３５】
本明細書は例を用いて、最良の形態を含む本発明を開示し、さらに、デバイスまたはシステムを作製し、使用すること、ならびに任意の組み込まれる方法を遂行することなど、当業者であれば誰でも本発明を実施することを可能にする。本発明の特許可能な範囲はクレームによって定義され、当業者が想到する他の例を含んでよい。こうした他の例は、クレームの文言と異ならない構造要素を有していれば、またはクレームの文言とごくわずかな相違しかない等価な構造要素を含むならば、クレームの範囲に入ることが意図されている。
【符号の説明】
【００３６】
１００  計測器
１０２  対象
１０４  ハウジング
１０６  ディスプレイ
１０８  第１のボタン
１１０  第２のボタン
１１２  測定要素
１１４  プレート
１１６  表面
１１８  処理要素
１２０  変換器要素
１２２  制御要素
１２４  電源
２００  方法
２０２  第１の信号を受信する
２０４  第２の信号を生成する
２０６  水分含量値を選択する
２０８  出力を生成する
３００  較正装置
３０２  第１の材料スライド
３０４  第２の材料スライド
３０６  第３の材料スライド
３０８  第１の厚み
３１０  第２の厚み
３１２  第３の厚み
【図１】
2014085353.tif 000004
【図２】
2014085353.tif 000005
【図３】
2014085353.tif 000006
【図４】
2014085353.tif 000007
【図５】
2014085353.tif 000008